(57)【特許請求の範囲】
【請求項１】
頂板部及びスカート部から成り、該スカート部において包装材に溶着固定される溶着部、該溶着部の頂板部に形成された環状側壁及び天面から成る注出部、及び該注出部をまたぐように頂板部の２箇所に直接或いは基部を介してヒンジ連結された回転可能なコの字型のガード部材が、一体成形により成形されてなるスパウトであって、前記注出部の環状側壁には、環状の破断可能な弱化部が形成されていると共に、該破断可能な弱化部よりも上方の天面近傍の環状側壁及び該天面から成るリシール部が形成されており、天面にはガード部材と連結する破断可能な橋絡部が形成され、前記リシール部が、弱化部の破断により形成される注出口に嵌合可能に形成されていると共に、リシール部にはガード部材の回転方向側の位置に係合部が形成され、前記ガード部材にはリシール部が取外され注出口に嵌合された状態で、前記係合部と係合し得る係合突起が形成されていることを特徴とするスパウト。
【請求項２】
前記注出部の破断可能な弱化部上には、前記ガード部材の回転方向側の位置に弱化部をまたぐように軸方向に延びるリブが形成されている請求項１記載のスパウト。
【発明の詳細な説明】
【技術分野】
【０００１】
本発明は、パウチ状の包装体等に溶着して使用するスパウトに関するものであり、より詳細には、外部からの衝撃等による意図外の破損が防止されていると共に、生産性に優れたワンピースタイプであり、開封操作性及びリシール性にも優れたスパウトに関する。
【背景技術】
【０００２】
パウチ状の包装体に溶着して、包装体内の内容物を外部に注出するためのスパウトとしては、一般に別途成形されたリシール用のキャップを組み合わせて成るツーピースタイプのもの（例えば、特許文献１等）と、樹脂の一体成形によるワンピースタイプのものと（例えば、特許文献２等）が知られている。
ワンピースタイプのスパウトは、樹脂の一体成形により成形されることから、ツーピースタイプのものに比してリシール用キャップの組み合わせなどが不要であるため生産性に優れている。かかるワンピースタイプのスパウトは、注出部に形成された破断可能な弱化部を手で破断して、注出部先端を取り除いて注出口を形成することにより、内容物の注出が可能であり、主として洗剤やシャンプー等を内容物とする他の容器に移して使用される詰め替え用の包装容器に使用されている。
【０００３】
【特許文献１】特開２００２−１０４４５３号公報
【特許文献２】特開２００２−２９５５２号公報
【発明の開示】
【発明が解決しようとする課題】
【０００４】
しかしながら、ワンピースタイプのスパウトに設けられる弱化部は手で容易に破断できるように形成されていることから、商品の流通時に弱化部が破断されてしまうことが懸念されており、内容物を注出する時以外は、破断されることがないための手段を講じることが望まれている。
またワンピースタイプのスパウトにおいては、上述したように注出部先端を手で折り取ることにより注出口を形成するが、内容物の注出性の点から注出部の大きさ（特に径）には限界があり、注出部先端の折り取り、すなわち手による弱化部の破断が容易でないという問題がある。
【０００５】
従って本発明の目的は、注出部に形成された破断可能な弱化部の使用時以外の破断が防止されていると共に、手による弱化部の破断が容易なワンピースタイプのスパウトを提供することである。
本発明の他の目的は、リシール性にも優れたワンピースタイプのスパウトを提供することである。
【課題を解決するための手段】
【０００６】
本発明によれば、頂板部及びスカート部から成り、該スカート部において包装材に溶着固定される溶着部、該溶着部の頂板部に形成された環状側壁及び天面から成る注出部、及び該注出部をまたぐように頂板部の２箇所に直接或いは基部を介してヒンジ連結された回転可能なコの字型のガード部材が、一体成形により成形されてなるスパウトであって、前記注出部の環状側壁には、環状の破断可能な弱化部が形成されていると共に、該破断可能な弱化部よりも上方の天面近傍の環状側壁及び該天面から成るリシール部が形成されており、天面にはガード部材と連結する破断可能な橋絡部が形成され、前記リシール部が、弱化部の破断により形成される注出口に嵌合可能に形成されていると共に、リシール部にはガード部材の回転方向側の位置に係合部が形成され、前記ガード部材にはリシール部が取外され注出口に嵌合された状態で、前記係合部と係合し得る係合突起が形成されていることを特徴とするスパウトが提供される。
【０００７】
本発明のスパウトによれば、注出部の破断可能な弱化部上には、前記ガード部材の回転方向側の位置に弱化部をまたぐように軸方向に延びるリブが形成されていること、が好適である。
【発明の効果】
【０００８】
本発明のスパウトは、ワンピースタイプで生産性に優れていると共に、開封に際して取り除かれる注出部先端がガード部材にも連続して形成されていることから、意図外の弱化部の破断が予防されている。更に手による注出部先端の折り取りが容易且つ確実であり、開封操作性に優れている。またガード部材によりリシール部を固定することができ、リシールされた状態を安定に保つことも可能である。
【発明を実施するための最良の形態】
【０００９】
本発明のスパウトにおいては、直接或いは基部を介して頂板部に２箇所でヒンジ連結された回転可能な、２つの垂直部材と該垂直部材を連結する１つの水平部材からなるコの字型のガード部材が、注出部をまたぐように設けられ、注出部の上端がガード部材の水平部材の下面と連続していることが重要な特徴である。これにより、注出部は下方で頂板部及び上方でガード部材と連続し、上下で固定されているため、流通時等に側方から衝撃等を受けた場合でも注出部が容易に動くことがなく、注出部に形成された破断可能な弱化部が意図外に破断されてしまうことが有効に防止される。
すなわち本発明においては、２つの垂直部材と該垂直部材を連結する１つの水平部材からなるコの字型のガード部材が、注出部をまたぐように、頂板部に固定されていることから、注出部の破断可能な弱化部を破断するには、まず注出部天面とガード部材下面との間に形成された橋絡部を破断するようにガード部材を回転する必要があり、そのため、スパウトが衝撃などを受けた場合でも注出部の弱化部が容易に破断されることがないのである。
【００１０】
また注出部天面及びガード部材下面の間に形成された橋絡部を破断すると共にガード部材を頂板部側に倒し、注出部の破断可能な弱化部を破断した後は、後述するように、取り除かれた注出部の一部(リシール部)を、注出部に形成された注出口に嵌合し得るように形成することにより、リシール機能を付与することも可能になるのである。特に本発明の好適な態様においては、取り除かれた注出部の一部(リシール部)が注出口に嵌合した状態で、ガード部材とリシール部を係合固定できるため、リシール部を安定して保持することができ、リシール性に優れている。
【００１１】
以下、本発明を添付図面に沿って詳細に説明する。
図１は、本発明のスパウトの一例を示す図であり、（Ａ）は上面図、（Ｂ）は正面図であり、右半分は断面を示し、（Ｃ）は側面図であり、右半分は断面を示すものである。また図２は、図１に示したスパウトの斜視図であり、図３は、図１に示すスパウトのガード部材を回転させた状態を示す斜視図であり、図４は、図１に示すスパウトの弱化部が破断され、リシール部が分離した状態を示す斜視図であり、図５は、図１に示すスパウトにおいてリシールの方法を説明するための斜視図であり、図６は、図１に示すスパウトがリシールされた状態を示す斜視図である。
全体を１で示すスパウトは、概略的に言って、溶着部２、注出部１０及びガード部材２０から成っている。
【００１２】
図１乃至図３に示す本発明のスパウトにおいて、溶着部２は、頂板部３及びスカート部４から成り、スカート部４において包装材３０に溶着固定される。スカート部４の外面にはリブ５が形成されている。また頂板部３のほぼ中央には、注出部１０に連続する開口部６が形成されている。
また注出部１０は、溶着部２の頂板部３に形成された開口部６の周囲に形成された環状側壁１１及び天面から成り、環状側壁１１の上端には、破断可能な弱化部１２を介してリシール部１３が形成されている。尚、弱化部１２には、弱化部１２の強度を向上するために、ガード部材２０の回転方向側に弱化部１２をまたぐように軸方向に延びるリブ１４が形成されている。
【００１３】
リシール部１３は、ガード部材２０の回転方向側の側面に、後述するガード部材２０に形成された係合突起と係合可能な係合部１５ａ，１５ｂが形成されていると共に、リシール部の上端には、弱化部１２を破断した後に形成される注出口１６に嵌合可能な嵌合部１７が形成されている。この嵌合部１７は、注出口１６の内径とほぼ同じ大きさの外径を有する円筒部１７ａと円筒部１７ａよりも若干大径で注出部の内面と係合可能な円錐台状の係合部１７ｂが組み合わされて形成されている。
【００１４】
またガード部材２０は２つの垂直部材２１ａ，２１ｂと該垂直部材２１を連結する１つの水平部材２２から成っており、垂直部材２１ａ，２１ｂの下端と溶着部の頂板部３の上にもうけられた基部２３と間に形成されたヒンジ２４を介して一体に成形され、一方水平部材２２の下面は注出部１０の係合部１７ｂ(天面)の先端と破断可能な橋絡部１８を介して連続して一体に成形されている。またガード部材の垂直部材２１ａ，２１ｂの注出部側の位置には、リシール後に注出部の突出部１５ａ，１５ｂと係合するための係合突起２６ａ，２６ｂが凹部２５内に形成されている。
またこの態様においては、ガード部材の垂直部材２１及び水平部材２２の端部にリブ２７が形成されており、このリブ２７が形成されることにより、ガード部材の機械的強度を低下させることなく、使用樹脂の目付量を低減させることが可能となる。
ガード部材２０は、ガード部材の水平部材２２の下面と係合部１７ｂの間に形成された橋絡部１８を破断すると、ヒンジ２４を軸として回転することが可能となる(図３参照)。
【００１５】
図３に示すように、橋絡部１８が破断され、ガード部材を回転して頂板部３側に倒した状態で、リシール部１３を把持して弱化部１２を破断することが可能となる。弱化部１２が破断されると、図４に示すように、弱化部１２よりも上方のリシール部１３がスパウトから分離する。
次いで図５に示すように、分離されたリシール部１３は、嵌合部１７がスパウト側となるように上下を逆にして、注出口１６に嵌合部１７を嵌合することによりリシールされる。この際、リシール部１３は、係合部１５ａ，１５ｂがガード部材の垂直部材２１ａ，２１ｂ側の位置になるように、分離前の状態から９０°回転した状態で注出口１６に嵌合させる。  その後、ガード部材２０を頂板部３に対して垂直位置まで回転することにより、係合部１５ａ，１５ｂが、ガード部材の凹部２５内に位置して係合突起２６ａ，２６ｂと係合する。これによりガード部材２０が固定されると共に、リシール部１３もガード部材２０で固定され、ガード部材を回転させない限り、リシール部１３を取外すことができなくなり、リシール性が確保される(図６参照)。
【００１６】
図７は、本発明のスパウト１をスタンディングパウチ３０に適用した状態を示すものであり、溶着部２のスカート部４がパウチ３０のヒートシール部３１と溶着固定されて使用されている。
本発明のスパウトが適用される包装材としては、図７に示したような可撓性パウチのほか、輸液容器のようなプラスチックバッグ、牛乳パックのようなカートン容器等、種々の包装材に適用することができる。またこれらの包装材は、最内層にスパウトと熱溶着可能な樹脂からなる層を有する多層構造であることが好適であり、内容物の種類に応じて適宜他の層が形成される。
【００１７】
本発明のスパウトは、上述した具体例に限定されず、種々の変更が可能である。
例えば、図１乃至図７に示した具体例では、ガード部材は基部を介して頂板部とヒンジ連結しているが、勿論、頂板部に直接ヒンジ連結してもよい。
また図１乃至図７に示す注出部１０のリシール部１３には、その天面付近に嵌合部１６を別途形成していたが、嵌合部を設けることなく、リシール部の外径を注出口の内径に合致させてリシールすることもできる。
【００１８】
溶着部の断面形状も、図に示したものに限定されず、略菱形など包装材と密着性よく接着し得る限り種々の形状を採用することができる。また溶着部のスカート部には、溶着性を向上させるためにリブ等を形成することが好適であるが、勿論形成しなくてもよい。
また環状側壁の弱化部における注出口の断面形状も、図１乃至図７に示した具体例のように真円のものに限定されず、例えば、ガード部材の水平部材と垂直な方向に長軸が形成されている楕円形であってもよい。これにより、意図外の弱化部の破断を予防することもできる。
更にリシール時における、リシール部と垂直部材の係合も、図１乃至図７に示した態様に限定されず、リシール部及びガード部材が係合し得る限り種々の態様を採用し得る。
【００１９】
本発明のスパウトは、ポリエチレン、ポリプロピレン等の熱溶着により包装材と接着可能な樹脂を用いることにより、包装材と容易に接合することができる。
またスパウトの成形は、かかる樹脂を用いて射出成形等により成形することができる。
【図面の簡単な説明】
【００２０】
【図１】本発明のスパウトの一例を示す図であり、（Ａ）は上面図、（Ｂ）は正面図であり、右半分は断面を示し、（Ｃ）は側面図であり、右半分は断面を示す。
【図２】図１に示すスパウトの斜視図である。
【図３】図１に示すスパウトのガード部材を回転させた状態を示す斜視図である。
【図４】図１に示すスパウトの弱化部が破断され、リシール部が分離した状態を示す斜視図である。
【図５】図１に示すスパウトにおいてリシールの方法を説明するための斜視図である。
【図６】図１に示すスパウトがリシールされた状態を示す斜視図である。
【図７】図１に示すスパウトがスタンディングパウチに適用された状態を示す斜視図である。
【符号の説明】
【００２１】
１  スパウト、２  溶着部、３  頂板部、４  スカート部、５  リブ、６  開口部、
７  環状突起、１０  注出部、１１  環状側壁、１２  弱化部、１３  リシール部、
１４  リブ、１５  係合部、１６  注出口、１７  嵌合部、１８  橋絡部、
２０  ガード部材、２１  垂直部材、２２  水平部材、２３  基部、２４ヒンジ部、
２５  凹部、２６  係合突起、２７  リブ。
【図１】
0004745749.tif 000002
【図２】
0004745749.tif 000003
【図３】
0004745749.tif 000004
【図４】
0004745749.tif 000005
【図５】
0004745749.tif 000006
【図６】
0004745749.tif 000007
【図７】
0004745749.tif 000008